(57)【要約】【課題】ヘッドマウントディスプレイの使い勝手を向上すること。【解決手段】態様の１つにおいて、ヘッドマウントディスプレイ１は、インタフェース部１０と、制御部９とを有する。インタフェース部１０は、カートリッジ１０００を接続可能なインタフェースを含む。制御部９は、カートリッジ１０００がインタフェース部１０に接続された場合に、当該カートリッジ１０００から取得した情報に応じて、所定の動作モードを起動する。制御部９は、施設アプリケーション８１をカートリッジ１０００から取得してもよい。【選択図】図２
2017183826.tif 000002
【特許請求の範囲】
【請求項１】
ヘッドマウントディスプレイであって、
カートリッジを接続可能なインタフェース部と、
前記カートリッジが前記インタフェース部に接続された場合に、当該カートリッジから取得した情報に応じて、所定の動作モードを起動する制御部と、
を有するヘッドマウントディスプレイ。
【請求項２】
前記制御部は、アプリケーションを前記カートリッジから取得する請求項１に記載のヘッドマウントディスプレイ。
【請求項３】
前記所定の動作モードは、前記情報に応じて、前記ヘッドマウントディスプレイが有する機能のオン、オフを決定するモードである請求項１または２に記載のヘッドマウントディスプレイ。
【請求項４】
前記機能は、再生機能を含み、
前記制御部は、前記情報に応じて、画像および音声の少なくとも一方の再生機能をオンする請求項１から３のいずれか１項に記載のヘッドマウントディスプレイ。
【請求項５】
通信部を有し、
前記機能は、通知機能を含み、
前記制御部は、前記通信部によって緊急通知を受信した場合、前記通知機能のオフ状態を解除して前記緊急通知を通知する請求項３または４に記載のヘッドマウントディスプレイ。
【発明の詳細な説明】
【技術分野】
【０００１】
本出願は、ヘッドマウントディスプレイに関する。
【背景技術】
【０００２】
表示装置には、頭部装着型の表示装置がある（特許文献１参照）。
【先行技術文献】
【特許文献】
【０００３】
【特許文献１】特開２０１２−２３１２５９号公報
【発明の概要】
【発明が解決しようとする課題】
【０００４】
上記頭部装着型の表示装置は、さらなる使い勝手の向上が望まれている。
【課題を解決するための手段】
【０００５】
態様の１つに係るヘッドマウントディスプレイは、カートリッジを接続可能なインタフェース部と、前記カートリッジが前記インタフェース部に接続された場合に、当該カートリッジから取得した情報に応じて、所定の動作モードを起動する制御部と、を有する。
【図面の簡単な説明】
【０００６】
【図１】図１は、実施形態に係るヘッドマウントディスプレイの外観の概略構成を示す図である。
【図２】図２は、実施形態に係るヘッドマウントディスプレイの機能構成の例を示すブロック図である。
【図３】図３は、実施形態に係るインタフェース部の設置位置の例を示す図である。
【図４】図４は、実施形態に係るインタフェース部の設置位置の例を示す図である。
【図５】図５は、実施形態に係るインタフェース部の開口方向の例を示す図である。
【図６】図６は、実施形態に係るインタフェース部の設置位置及び開口方向の他の例を示す図である。
【図７】図７は、実施形態に係るインタフェース部の設置位置及び開口方向の他の例を示す図である。
【図８】図８は、実施形態に係るカートリッジデータの一例を示す図である。
【図９】図９は、アトラクションでヘッドマウントディスプレイを用いる場合の動作モードの一例を示す図である。
【図１０】図１０は、実施形態に係るヘッドマウントディスプレイによる制御の処理手順の一例を示すフローチャートである。
【図１１】図１１は、実施形態に係るヘッドマウントディスプレイによる動作モードに係る処理手順の一例を示すフローチャートである。
【発明を実施するための形態】
【０００７】
本出願に係るヘッドマウントディスプレイの実施形態を、図面を参照しつつ詳細に説明する。本出願に係るヘッドマウントディスプレイの利用者は、例えば、外部接続可能なカートリッジをヘッドマウントディスプレイに接続して、カートリッジから特定のコンテンツをヘッドマウントディスプレイに読み込ませることにより、ヘッドマウントディスプレイを介して、種々のサービスの提供を受けることができる。ヘッドマウントディスプレイに外部接続可能なカートリッジは、ビジネスパーク、ショッピングセンター、ファッションビル、公園、アミューズメント施設、ハイテクパーク、住居用施設など、屋外、屋内を問わず、ヘッドマウントディスプレイを介してサービスを提供可能な種々の施設などから提供されてよい。
【０００８】
図１は、実施形態に係るヘッドマウントディスプレイの外観の概略構成を示す図である。図１に示すように、ヘッドマウントディスプレイ１は、眼鏡型の形状を有し、フロント部１ａ、蔓部１ｂ、蔓部１ｃ、及び支持部１ｄを備える。図１に示すヘッドマウントディスプレイ１の形状は一例に過ぎず、頭部装着型のウェアラブル端末としての機能を実現できれば、図１に示す形状には限定されない。
【０００９】
フロント部１ａは、表示部２ａ及び表示部２ｂの外周部の少なくとも一部を取り囲むように形成されている。フロント部１ａは、ヘッドマウントディスプレイ１の利用者がヘッドマウントディスプレイ１を装着したときに、利用者の眼前に配置される部分となる。支持部１ｄは、１対（図示せず）からなり、ヘッドマウントディスプレイ１の利用者がヘッドマウントディスプレイ１を装着したときに、利用者の鼻を挟み込むようにして接する。支持部１ｄは、ヘッドマウントディスプレイ１が利用者に装着されたとき、ヘッドマウントディスプレイ１が利用者の顔を重力方向にずれ落ちることなく、装着姿勢をできるだけ保った状態で支持されることに寄与する。
【００１０】
フロント部１ａには、撮像部３、撮像部４、検出部５、及び操作部６なども設置される。
【００１１】
蔓部１ｂ及び蔓部１ｃは、同様の棒状の形状で形成される。蔓部１ｂ及び蔓部１ｃは、ヘッドマウントディスプレイ１の利用者がヘッドマウントディスプレイ１を装着したときに、利用者の側頭部に沿ってそれぞれ配置される部分となる。蔓部１ｂの一方の端部、及び蔓部１ｃの一方の端部は、それぞれ、ヒンジ（図示せず）を介して折り畳み自在にフロント部１ａに接続される部位となる。蔓部１ｂの他方の端部、及び蔓部１ｃの他方の端部は、それぞれ、ヘッドマウントディスプレイ１の利用者がヘッドマウントディスプレイ１を装着したときに、利用者の耳にあてがわれる部位となる。蔓部１ｂ及び蔓部１ｃも、支持部１ｄと同様に、ヘッドマウントディスプレイ１が利用者に装着されたとき、利用者の顔を重力方向にずれ落ちることなく、装着姿勢をできるだけ保った状態で支持されることに寄与する。
【００１２】
図２は、実施形態に係るヘッドマウントディスプレイの機能構成の例を示すブロック図である。
【００１３】
図２に示すように、ヘッドマウントディスプレイ１は、表示部２ａ、表示部２ｂ、撮像部３、撮像部４、検出部５、操作部６、通信部７、記憶部８、制御部９、インタフェース部１０、入出力部１１、及び振動部１２を備えて構成される。
【００１４】
表示部２ａ及び表示部２ｂは、液晶ディスプレイ（Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏ−Ｌｕｍｉｎｅｓｃｅｎｃｅ）パネルなどの半透過または透過の表示デバイスを有することができる。表示部２ａ及び表示部２ｂは、制御部９から入力される制御信号に従って各種の情報を表示する。表示部２ａ及び表示部２ｂは、レーザ光線等の光源を用いて利用者の網膜に画像を投影する投影装置であってもよい。
【００１５】
撮像部３及び撮像部４は、ＣＣＤ（Ｃｈａｒｇｅ  Ｃｏｕｐｌｅｄ  Ｄｅｖｉｃｅ  Ｉｍａｇｅ  Ｓｅｎｓｏｒ）、或いはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などのイメージセンサを用いて電子的に画像を撮像する。撮像部３及び撮像部４は、撮像した画像を信号に変換して制御部９へ出力する。撮像部３は、例えば、ヘッドマウントディスプレイ１を装着した利用者の前景を撮像するアウトカメラである。撮像部４は、例えば、ヘッドマウントディスプレイ１を装着した利用者を撮像するインカメラである。
【００１６】
検出部５は、種々の検出を実行する。検出部５は、可視光、赤外線、紫外線、電波、音波、磁気、静電容量の少なくとも１つを用いて、検出対象、及び検出対象の状態変化などを検出できる。検出対象は、静止物、移動物、生物、及び非生物を含む。検出部５は、検出結果を制御部９へ出力する。検出部５は、加速度センサを有してもよい。加速度センサは、ヘッドマウントディスプレイ１に働く加速度を検出できる。加速度センサの検出結果は、ヘッドマウントディスプレイ１を携帯する利用者の移動、停止を検出するために用いることができる。検出部５は、ヘッドマウントディスプレイ１の現在位置を検出できる。検出部５は、ＧＰＳ（Ｇｌｏｂａｌ  Ｐｏｓｉｔｉｏｎｉｎｇ  Ｓｙｓｔｅｍ）レシーバによって現在位置を検出してもよい。検出部５は、通信部７が無線通信に用いる基地局に基づいて、現在位置を検出してもよい。検出部５は、複数の方式を併用して、現在位置を検出してもよい。
【００１７】
操作部６は、ヘッドマウントディスプレイ１の起動、停止、動作設定を含む各種設定の変更などの操作入力を利用者から受け付ける。操作部６は、利用者から受け付けた操作入力を信号に変換して制御部９へ出力する。操作部６は、操作を受け付けるために、ボタン、キー、タッチスクリーン等の入力デバイスを用いることができる。操作部６は、例えば、接触を検出するタッチセンサを含む。
【００１８】
通信部７は、他の装置との間で通信できる。通信部７は、例えば、所定の通信プロトコルを用いて、他のヘッドマウントディスプレイ、あるいは施設内に設置される施設サーバなどとの間でやり取りされる各種情報を送受信できる。通信部７は、他のヘッドマウントディスプレイとの間で通信接続できる。通信部７は、近距離無線の通信規格の１つ又は複数をサポートできる。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。
【００１９】
記憶部８は、プログラム及びデータなどを記憶する。記憶部８に記憶されるプログラムには制御プログラム８０が含まれる。記憶部８に記憶されるアプリケーションには、施設アプリケーション８１が含まれる。記憶部８に記憶されるデータには、制御用データ８２及びカートリッジデータ８３が含まれる。
【００２０】
記憶部８は、制御部９の処理結果を一時的に記憶する作業領域として利用されてもよい。記憶部８は、半導体記憶媒体、及び磁気記憶媒体等の任意の非一過的（ｎｏｎ−ｔｒａｎｓｉｔｏｒｙ）な記憶媒体で構成されてよい。記憶部８は、複数の種類の記憶媒体を含んでよい。記憶部８は、メモリカード、光ディスク、又は光磁気ディスク等の記憶媒体と、記憶媒体の読み取り装置との組み合わせを含んでよい。記憶部８は、ＲＡＭ（Ｒａｎｄｏｍ  Ａｃｃｅｓｓ  Ｍｅｍｏｒｙ）などの一時的な記憶領域として利用される記憶装置を含んでよい。記憶部８に記憶されるプログラムには、アプリケーションの動作を支援するプログラム（図示略）が含まれてよい。記憶部８に記憶されるプログラムは、無線通信あるいは有線通信によってサーバなどの他の装置から取得されてよい。
【００２１】
制御プログラム８０は、ヘッドマウントディスプレイ１の各種制御に関する機能を提供する。制御プログラム８０が提供する機能には、検出処理部８０ａ及び表示制御部８０ｂが含まれる。
【００２２】
検出処理部８０ａは、検出部５の検出結果に基づいて、ヘッドマウントディスプレイ１の各種制御を実行するための機能を提供する。表示制御部８０ｂは、表示部２ａ及び表示部２ｂの表示制御を実行するための機能を提供する。
【００２３】
施設アプリケーション８１は、例えば、ヘッドマウントディスプレイ１の利用者が、ヘッドマウントディスプレイ１を介して、施設内に設置される設備及び機器などを利用するための機能を提供するアプリケーションである。例えば、アミューズメントパークである場合、アミューズメントパークの地図などのアミューズメントパークに関する各種情報を表示したり、アミューズメントパーク内に設置される各種アトラクションで遊戯する際の動画像及び音声などを出力したりするためのアプリケーションに該当する。施設アプリケーション８１は、施設内に設置される設備及び機器が複数存在する場合、設備及び機器のそれぞれに対応するアプリケーションを含むアプリケーションセットとして構成されてよい。施設アプリケーション８１は、インタフェース部１０に外部接続されたカートリッジ１０００から取得されてよい。
【００２４】
制御用データ８２は、制御プログラム８０により提供される機能により実行されるヘッドマウントディスプレイ１の各種制御に用いられるデータである。制御用データ８２は、ヘッドマウントディスプレイ１が有する機能に関する情報を含む。機能に関する情報は、ヘッドマウントディスプレイ１の機能の設定状態を示す情報を含む。機能の設定状態は、例えば、機能が有効であることを示すオン状態、機能が無効であることを示すオフ状態を含む。ヘッドマウントディスプレイ１が有する機能は、制御プログラム８０が提供する機能、ハードウェアによって提供される機能を含む。制御用データ８２は、インタフェース部１０に外部接続されたカートリッジ１０００から取得されてよい。
【００２５】
カートリッジデータ８３は、インタフェース部１０に外部接続されたカートリッジ１０００から取得されたデータである。例えば、アミューズメントパークである場合、カートリッジデータ８３は、施設アプリケーション８１が、アトラクションにおけるゲームの進行に応じて、動画像及び音声などをヘッドマウントディスプレイ１に出力するために用いられる。カートリッジデータ８３は、ヘッドマウントディスプレイ１が有する機能のオン、オフを規定するデータを含む。カートリッジデータ８３は、施設アプリケーション８１を実行した場合に用いるヘッドマウントディスプレイ１の機能をオンさせるデータを含む。カートリッジデータ８３の一例については、後述する。
【００２６】
制御部９は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含んで構成されてよいが、これらを含んで構成される場合に限定されない。制御部９は、ヘッドマウントディスプレイ１の動作を統括的に制御して各種の機能を実現する。具体的には、制御部９は、記憶部８に記憶されている制御用データ８２を必要に応じて参照しつつ、記憶部８に記憶されている制御プログラム８０に含まれる命令を実行することにより、ヘッドマウントディスプレイ１の各種制御を実現する。
【００２７】
インタフェース部１０は、カートリッジ１０００の挿入を受け付けて接続可能な状態で開口している。インタフェース部１０は、カートリッジ１０００が接続されると、カートリッジ１０００からカートリッジ１０００に記憶されているデータを取得し、取得したデータを制御部９へ出力する。
【００２８】
入出力部１１は、マイク、スピーカを有することができる。マイクは、入力される音を電気信号へ変換して制御部９に出力できる。スピーカは、例えば、制御部９から入力される音信号を音として出力できる。振動部１２は、ヘッドマウントディスプレイ１の一部又は全体を振動させる。振動部１２は、振動を発生させるために、例えば、圧電素子、又は偏心モータを有する。
【００２９】
以下、図３〜図７を用いて、ヘッドマウントディスプレイ１が備えるインタフェース部１０の設置位置及び開口方向の例を説明する。図３及び図４は、実施形態に係るインタフェース部の設置位置の例を示す図である。図５は、実施形態に係るインタフェース部の開口方向の例を示す図である。図６及び図７は、実施形態に係るインタフェース部の設置位置及び開口方向の他の例を示す図である。
【００３０】
図３に示すように、ヘッドマウントディスプレイ１は、蔓部１ｂの端部のうちフロント部１ａに接続されていない端部付近１ｂ−１、及び蔓部１ｃの端部のうちフロント部１ａに接続されていない端部付近１ｃ−１に、インタフェース部１０をそれぞれ設置することができる。あるいは、図４に示すように、ヘッドマウントディスプレイ１は、蔓部１ｂの中央付近１ｂ−２及び蔓部１ｃの中央付近１ｃ−２にインタフェース部１０をそれぞれ設置することもできる。ヘッドマウントディスプレイ１は、例えば、フロント部１ａが、撮像部３、撮像部４、検出部５、及び操作部６などを備えることにより、蔓部１ｂ、１ｃに比べて重たい場合に、蔓部１ｂ（又は蔓部１ｃ）にカートリッジ１０００を接続させることで、当該蔓部１ｂ（又は１ｃ）の重さをフロント部１ａの重さに近づけることができ、装着感を向上させることができる。
【００３１】
また、インタフェース部１０を蔓部１ｂ及び蔓部１ｃに設置する場合、インタフェース部１０は、ヘッドマウントディスプレイ１の利用者に当該ヘッドマウントディスプレイ１が装着された状態であるときに鉛直方向下向きに開口している。このような構成により、ヘッドマウントディスプレイ１は、インタフェース部１０が有する開口部（外部に開口した部分）から粉塵等が入り込むことを防止できる。
【００３２】
図５を用いて、インタフェース部１０が開口している方向について説明する。図５に示す座標軸のｘ１軸、ｙ１軸、及びｚ１軸はそれぞれが互いに直交しているものとする。図５に示す例において、ヘッドマウントディスプレイ１のフロント部１ａの長手方向は、図５に示す座標軸のｘ１軸方向に平行な方向と一致しているものとする。インタフェース部１０は、カートリッジ１０００をヘッドマウントディスプレイ１に挿入して接続することが可能な向きに開口している。図５に示す例では、同図には明示されていないが、インタフェース部１０は、利用者Ｕ１に装着された状態であるときに、例えば、鉛直方向下向きの方向、すなわち、ｙ１軸の負の方向に平行な方向に開口されている。
【００３３】
ヘッドマウントディスプレイ１は、図３及び図４に示すように、蔓部１ｂ及び蔓部１ｃにインタフェース部１０をそれぞれ設置してもよいし、蔓部１ｂ及び蔓部１ｃのいずれか一方に設置してもよい。
【００３４】
図６を用いて、インタフェース部１０の設置位置及び開口方向の他の例を説明する。図６に示す座標軸のｘ２軸、ｙ２軸、及びｚ２軸はそれぞれが互いに直交しているものとする。図６に示す例において、ヘッドマウントディスプレイ１のフロント部１ａの長手方向は、図６に示す座標軸のｘ２軸方向に平行な方向と一致しているものとする。図６に示すように、ヘッドマウントディスプレイ１は、蔓部１ｃを完全に開いた状態のときに当該蔓部１ｃがフロント部１ａに対して接する位置である当該蔓部１ｃの合口部１ｃ−ｘにインタフェース部１０を設置することもできる。インタフェース部１０は、カートリッジ１０００を挿入して接続可能な状態で開口している。図６に示す例では、インタフェース部１０が、図６に示す座標軸のｚ２軸の正の方向に平行な方向に向かって開口している状態を示している。このような構成により、ヘッドマウントディスプレイ１は、蔓部１ｃを完全に開いた状態のときに、インタフェース部１０の開口部がフロント部１ａにより塞がれるため、カートリッジ１０００を外部の衝撃などから保護することができる。
【００３５】
また、図６に示す例において、ヘッドマウントディスプレイ１は、蔓部１ｂ（又は蔓部１ｃ）における、当該蔓部１ｂ（又は蔓部１ｃ）の長手方向に開口されている開口部を有するものとして規定されてもよい。
【００３６】
図７を用いて、インタフェース部１０の設置位置及び開口方向の他の例を説明する。図７に示す座標軸のｘ３軸、ｙ３軸、及びｚ３軸はそれぞれが互いに直交しているものとする。図７に示す例において、ヘッドマウントディスプレイ１のフロント部１ａの長手方向は、図７に示す座標軸のｘ３軸方向に平行な方向と一致しているものとする。図７に示すように、ヘッドマウントディスプレイ１は、フロント部１ａにおける利用者の顔面に対面する領域１ａ−１にインタフェース部１０を設置することもできる。インタフェース部１０は、カートリッジ１０００を挿入して接続可能な状態で開口している。図７に示す例では、インタフェース部１０が、図７に示す座標軸のｚ３軸の正の方向に平行な方向に向かって開口している状態を示している。このような構成により、ヘッドマウントディスプレイ１は、カートリッジ１０００がインタフェース部１０に接続された状態で、当該カートリッジ１０００を外部の衝撃などから保護することができる。
【００３７】
図８は、実施形態に係るカートリッジデータ８３の一例を示す図である。図８に示すように、カートリッジデータ８３は、ヘッドマウントディスプレイ１が有する複数の機能のうち、アトラクションで用いるヘッドマウントディスプレイ１の機能を示している。カートリッジデータ８３は、ヘッドマウントディスプレイ１の機能及び機能設定の項目を含む。ヘッドマウントディスプレイ１の機能の項目は、ヘッドマウントディスプレイ１が有する機能を示す情報を設定できる。機能設定の項目は、アトラクションでヘッドマウントディスプレイ１を用いる場合に、ヘッドマウントディスプレイ１の機能をオンするか、オフするかを示す情報を設定できる。
【００３８】
例えば、対象のアトラクションで用意した専用のヘッドアップディスプレイを用いる場合、専用のヘッドアップディスプレイをアトラクション専用のモードに設定しておくことができる。しかし、アトラクションで利用者または汎用のヘッドマウントディスプレイ１を用いる場合、アトラクションで用いるヘッドマウントディスプレイ１の機能がオフになっている可能性がある。また、アトラクションで不要なヘッドマウントディスプレイ１の機能がオンになっていると、当該機能がアトラクション中に動作してしまい、利用者はアトラクションに集中できない場合がある。そのため、ヘッドマウントディスプレイ１は、アトラクションで用いるヘッドマウントディスプレイ１の機能を自動で設定するために、カートリッジデータ８３を用いる。
【００３９】
例えば、アトラクションで必要な機能は、アトラクション施設や他のヘッドマウントディスプレイと無線通信が必要な場合、ヘッドマウントディスプレイ１の近距離無線の機能を含む。例えば、アトラクションで不要な機能は、撮影禁止のアトラクションである場合、ヘッドマウントディスプレイ１の撮像の機能を含む。
【００４０】
図８に示す例では、ヘッドマウントディスプレイ１は、電話、メール、撮像、近距離無線、音声入出力、表示、通知、タッチ操作、位置検出、バイブレーション、加速度検出、他のアプリケーション同時実行、及び画面調整の機能を含む。
【００４１】
例えば、アトラクションＡは、体感型謎解きゲームである。アトラクションＡは、近距離無線、音声入出力、表示、タッチ操作、及び画面調整のヘッドマウントディスプレイ１の機能を用いるアトラクションである。アトラクションＡは、ヘッドマウントディスプレイ１が施設のサーバと近距離無線を用いて通信を行う場合に、ヘッドマウントディスプレイ１の近距離無線の機能が必要となる。そのため、カートリッジデータ８３は、近距離無線、音声入出力、表示、タッチ操作、及び画像調整のヘッドマウントディスプレイ１の機能をオンとし、他の機能をオフとすることを規定している。アトラクションＡの場合、カートリッジデータ８３は、画面調整の機能をオンとし、画面の明るさを８０％とすることを規定している。基準として、１００％である画面の明るさは、カートリッジ１０００の接続を検出する前の時点、又は、カートリッジ１０００の接続後カートリッジ１０００から取得した施設アプリケーション８１を実行する前の時点における画面の明るさと仮定されてよい。或いは、１００％である画面の明るさは、利用者に設定されることが可能な画面の明るさの最大値と仮定されてよい。
【００４２】
例えば、アトラクションＢは、お化け屋敷である。アトラクションＢは、電話、音声入出力、表示、タッチ操作、及び画面調整のヘッドマウントディスプレイ１の機能を用いるアトラクションである。そのため、カートリッジデータ８３は、電話、音声入出力、表示、タッチ操作、及び画像調整のヘッドマウントディスプレイ１の機能をオンとし、他の機能をオフとすることを規定している。アトラクションＢの場合、カートリッジデータ８３は、画面調整の機能をオンとし、画面の明るさを５０％とすることを規定している。
【００４３】
例えば、アトラクションＣは、ジェットコースターである。アトラクションＣは、撮像、近距離無線、音声入出力、表示、バイブレーション、加速度検出、及び画面調整のヘッドマウントディスプレイ１の機能を用いるアトラクションである。そのため、カートリッジデータ８３は、撮像、近距離無線、音声入出力、表示、バイブレーション、加速度検出、及び画面調整のヘッドマウントディスプレイ１の機能をオンとし、他の機能をオフとすることを規定している。アトラクションＣの場合、カートリッジデータ８３は、画面調整の機能をオンとし、画面の明るさを３０％とすることを規定している。
【００４４】
図９は、アトラクションＢでヘッドマウントディスプレイ１を用いる場合の動作モードの一例を示す図である。図９に示すように、ヘッドマウントディスプレイ１は、電話、メール、撮像、近距離無線、音声入出力、表示、通知、タッチ操作、位置検出、バイブレーション、加速度検出、他のアプリケーション同時実行、及び画面調整の機能を含む。
【００４５】
図９に示す例では、ヘッドマウントディスプレイ１は、カートリッジ１０００が未接続時である場合、全ての機能がオンとなっている。ヘッドマウントディスプレイ１は、表示部２ａ及び表示部２ｂの画面の明るさが８０％に設定されている。
【００４６】
利用者は、アトラクション設備でカートリッジ１０００を受け取ると、当該カートリッジ１０００をインタフェース部１０に接続してヘッドマウントディスプレイ１を起動させる。ヘッドマウントディスプレイ１は、カートリッジ１０００がインタフェース部１０に接続されたことを検出する。ヘッドマウントディスプレイ１は、カートリッジ１０００がインタフェース部１０に接続された場合に、当該カートリッジ１０００から取得したカートリッジデータ８３に応じて、所定の動作モードを起動する。
【００４７】
ヘッドマウントディスプレイ１は、動作モードを起動させると、ヘッドマウントディスプレイ１が有する機能のオンオフ状態を記憶する。ヘッドマウントディスプレイ１は、アトラクションＢのカートリッジデータ８３に基づいて、ヘッドマウントディスプレイ１が有する機能のオン、オフを決定する。例えば、アトラクションＢのカートリッジデータ８３が図８に示す設定内容であった場合、ヘッドマウントディスプレイ１は、電話、音声入出力、表示、タッチ操作、及び画像調整のヘッドマウントディスプレイ１の機能をオンとし、他の機能をオフとすることを決定する。ヘッドマウントディスプレイ１は、決定結果に基づいて制御用データ８２を変更し、複数の機能のオン、オフを制御する。その結果、ヘッドマウントディスプレイ１は、施設アプリケーション８１の実行時に利用する電話、音声入出力、表示、タッチ操作、及び画像調整のヘッドマウントディスプレイ１の機能が有効となる。ヘッドマウントディスプレイ１は、施設アプリケーション８１の実行時に利用しないメール、撮像、近距離無線、通知、タッチ操作検出、バイブレーション、加速度検出、及び他のアプリケーション同時実行の機能が無効となる。ヘッドマウントディスプレイ１は、表示部２ａ及び表示部２ｂの画面の明るさを８０％から５０％に変更する。
【００４８】
このように、ヘッドマウントディスプレイ１は、カートリッジ１０００がインタフェース部１０に接続された場合に、実行する施設アプリケーション８１の実行時に利用する機能のみをオン状態とし、それ以外の機能をオフ状態とすることができる。よって、利用者は、アトラクション施設を利用するために、ヘッドマウントディスプレイ１の機能設定を変更する必要がなくなる。ヘッドマウントディスプレイ１は、施設アプリケーション８１の実行時に利用する機能がオフになっていても、当該機能を自動で施設アプリケーション８１の実行時までにオンさせることができる。その結果、ヘッドマウントディスプレイ１は、カートリッジ１０００から取得した施設アプリケーション８１に適したヘッドマウントディスプレイ１の機能に自動設定できるため、利便性を向上させることができる。ヘッドマウントディスプレイ１は、アトラクション施設で利用しない機能をオフにすることで、電力消費を低減させることができる。例えば、電力の消費が多き機能は、位置検出、バイブレーションの機能を含む。例えば、撮影が禁止されているアトラクション施設では、カートリッジデータ８３で撮像の機能をオフに設定しておくことで、ヘッドマウントディスプレイ１は、撮像の機能を自動でオフにすることができる。
【００４９】
ヘッドマウントディスプレイ１は、カートリッジデータ８３に基づいて、音声入出力及び表示の機能をオンにすることで、画像及び音声の再生機能をアトラクション施設で確保することができる。その結果、利用者は、アトラクション施設で画像及び音声の再生を楽しむことができる。
【００５０】
図１０は、実施形態に係るヘッドマウントディスプレイによる制御の処理手順の一例を示すフローチャートである。図１１は、実施形態に係るヘッドマウントディスプレイによる動作モードに係る処理手順の一例を示すフローチャートである。図１０及び図１１に示す処理手順は、制御部９が制御プログラム８０を実行することによって実現される。
【００５１】
図１０に示すように、ヘッドマウントディスプレイ１の制御部９は、ステップＳ１０１として、インタフェース部１０を介して、カートリッジ１０００の接続を検出したか否かを判定する。例えば、制御部９は、カートリッジ１０００に対するデータの読み込み、書き込み等が可能な場合に、カートリッジ１０００の接続を検出したと判定する。制御部９は、カートリッジ１０００の接続を検出していないと判定した場合（ステップＳ１０１，Ｎｏ）、ステップＳ１０１の処理を繰り返す。制御部９は、カートリッジ１０００の接続を検出したと判定した場合（ステップＳ１０１，Ｙｅｓ）、処理をステップＳ１０２に進める。
【００５２】
制御部９は、ステップＳ１０２として、カートリッジ１０００から施設アプリケーション８１及びカートリッジデータ８３を取得して記憶部８に記憶する。制御部９は、ステップＳ１０３として、取得したカートリッジデータ８３に応じて動作モードを起動する。例えば、制御部９は、図１１に示す動作モードの処理を実行することにより、動作モードを起動する。
【００５３】
図１１を用いて、動作モードにおける制御部９の処理について説明する。図１１に示すように、制御部９は、ステップＳ２０１として、ヘッドマウントディスプレイ１が有する機能の動作モード起動時のオンオフ状態を記憶部８に記憶する。制御部９は、ステップＳ２０２として、カートリッジデータ８３に基づいて、ヘッドマウントディスプレイ１が有する機能のオン、オフを決定する。制御部９は、ステップＳ２０３として、ステップＳ２０２の決定結果となるように、ヘッドマウントディスプレイ１が有する機能のオン、オフを制御する。例えば、制御部９は、オンにする機能のアプリケーションを実行可能とする制御を行う、または実行させる制御を行う。例えば、制御部９は、オンにする機能が用いるハードウェアを起動させる制御を行う。例えば、制御部９は、オフにする機能のアプリケーションを実行不能とする制御を行う。例えば、制御部９は、オフにする機能が用いるハードウェアを停止させる制御を行う。制御部９は、ステップＳ２０４として、ステップＳ２０２の決定結果に基づいて、制御用データ８２の機能に関する情報を変更し、図１１に示す処理手順を終了する。図１１に示す処理手順が終了すると、制御部９は、図１０に示すステップＳ１０４を実行する。
【００５４】
図１０に示すように、ステップＳ１０３の処理が終了すると、制御部９は、処理をステップＳ１０４に進める。制御部９は、ステップＳ１０４として、カートリッジ１０００から取得した施設アプリケーション８１を実行する。例えば、制御部９は、利用者から実行要求を受けた場合に、施設アプリケーション８１を実行してもよい。例えば、制御部９は、アトラクション施設から開始要求を受けた場合に、施設アプリケーション８１を実行してもよい。制御部９は、施設アプリケーション８１を実行することにより、アトラクション施設に応じたサービスを利用者に提供する。例えば、制御部９は、オンさせているヘッドマウントディスプレイ１の機能を利用して、アトラクション施設に応じたサービスを提供できる。
【００５５】
制御部９は、ステップＳ１０５として、施設アプリケーション８１が終了したか否かを判定する。制御部９は、施設アプリケーション８１が終了していると判定した場合（ステップＳ１０５，Ｙｅｓ）、処理をステップＳ１０６に進める。
【００５６】
制御部９は、ステップＳ１０６として、インタフェース部１０を介して、カートリッジ１０００の接続解除を検出したか否かを判定する。例えば、制御部９は、カートリッジ１０００に対するデータの読み書きが不能な場合に、カートリッジ１０００の接続解除を検出したと判定する。制御部９は、カートリッジ１０００の接続解除を検出していないと判定した場合（ステップＳ１０６，Ｎｏ）、ステップＳ１０６の処理を繰り返す。制御部９は、カートリッジ１０００の接続解除を検出したと判定した場合（ステップＳ１０６，Ｙｅｓ）、処理をステップＳ１０７に進める。
【００５７】
制御部９は、ステップＳ１０７として、記憶部８に記憶している情報に基づいて、ヘッドマウントディスプレイ１の機能のオンオフ状態を動作モード起動時のオンオフ状態へ復帰させる。制御部９は、ステップＳ１０８として、動作モードの起動前の機能のオンオフ状態に、制御用データ８２の機能に関する情報を変更する。制御部９は、ステップＳ１０９として、記憶部８から施設アプリケーション８１及びカートリッジデータ８３を削除し、図１０に示す処理手順を終了させる。
【００５８】
制御部９は、施設アプリケーション８１が終了していないと判定した場合（ステップＳ１０５，Ｎｏ）、処理をステップＳ１１０に進める。制御部９は、ステップＳ１１０として、緊急通知が受信したか否かを判定する。例えば、制御部９は、通信部７によって緊急通知を受信した場合に、緊急通知が発生したと判定する。制御部９は、緊急通知を受信していないと判定した場合（ステップＳ１１０，Ｎｏ）、処理を既に説明したステップＳ１０５に戻す。制御部９は、緊急通知を受信したと判定した場合（ステップＳ１１０，Ｙｅｓ）、処理をステップＳ１１１に進める。
【００５９】
制御部９は、ステップＳ１１１として、ヘッドマウントディスプレイ１の通知機能のオフ状態を解除する。例えば、オフ状態の解除は、通知の機能のオフをオンに変更する処理としてよい。例えば、オフ状態の解除は、通知の機能のオフ設定を変更せずに、緊急通知を許可する処理としてよい。例えば、オフ状態の解除は、通知の機能がオン状態である場合、機能の変更を行わない処理としてよい。
【００６０】
制御部９は、ステップＳ１１２として、緊急通知を実行する。例えば、制御部９は、受信した緊急通知を表示部２ａ、２ｂに表示させ、通知音を入出力部１１から出力させる。例えば、制御部９は、振動部１２を振動させてもよい。制御部９は、ステップＳ１１３として、緊急通知時の処理を実行する。例えば、緊急通知時の処理は、実行している施設アプリケーション８１の強制終了させる処理を含む。制御部９は、ステップＳ１１３の処理が終了すると、図１０に示す処理手順を終了させる。
【００６１】
図１０に示す処理手順では、制御部９は、動作モードを起動させて、ヘッドマウントディスプレイ１の機能をオンオフさせた後に、施設アプリケーション８１を実行させる場合について説明したが、これに限定されない。例えば、動作モードは、施設アプリケーション８１の初期処理としてもよい。この場合、制御部９は、カートリッジ１０００から取得した施設アプリケーション８１を実行させることにより、動作モードを起動させる。
【００６２】
図１０に示す処理手順では、制御部９は、緊急通知を行った後に処理を終了させる場合について説明したが、これに限定されない。例えば、処理手順は、ステップＳ１１２で緊急通知を行った後、処理をステップＳ１０５に戻し、施設アプリケーション８１の実行を継続させてもよい。
【００６３】
上記の実施形態では、所定の動作モードは、カートリッジ１０００から取得した情報（カートリッジデータ８３）に応じて、ヘッドマウントディスプレイ１が有する機能のオン、オフを決定するモードである場合を説明したが、これに限定されない。例えば、所定の動作モードは、カートリッジ１０００から取得した情報（カートリッジデータ８３）に応じて、ヘッドマウントディスプレイ１が有する機能に関する調整値を変更するモードであると規定されもよい。ヘッドマウントディスプレイ１が有する機能に関する調整値を変更するモードとは、例えば、上記のように画面調整の機能における画面の明るさを変更するモード等が該当する。
【００６４】
上記の実施形態では、ヘッドマウントディスプレイ１は、カートリッジ１０００から施設アプリケーション８１を取得する場合について説明したが、これに限定されない。例えば、ヘッドマウントディスプレイ１は、通信部７を介してアトラクション施設側のサーバから施設アプリケーション８１を取得してもよい。
【００６５】
上記の実施形態では、ヘッドマウントディスプレイ１は、施設アプリケーション８１をカートリッジ１０００から取得する場合について説明したが、これに限定されない。例えば、ヘッドマウントディスプレイ１は、アプリケーションではなく、アトラクション施設で用いるコンテンツを取得し、当該コンテンツを再生機能で再生してもよい。
【００６６】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【００６７】
上記の実施形態では、ヘッドマウントディスプレイ１の構成と動作について説明したが、これに限定されず、各構成要素を備える方法やプログラムとして構成されても良い。
【符号の説明】
【００６８】
１  ヘッドマウントディスプレイ
２ａ，２ｂ  表示部
３，４  撮像部
５  検出部
６  操作部
７  通信部
８  記憶部
９  制御部
１０  インタフェース部
１１  入出力部
１２  振動部
８１  施設アプリケーション
８２  制御用データ
８３  カートリッジデータ
【図１】
2017183826.tif 000003
【図２】
2017183826.tif 000004
【図３】
2017183826.tif 000005
【図４】
2017183826.tif 000006
【図５】
2017183826.tif 000007
【図６】
2017183826.tif 000008
【図７】
2017183826.tif 000009
【図８】
2017183826.tif 000010
【図９】
2017183826.tif 000011
【図１０】
2017183826.tif 000012
【図１１】
2017183826.tif 000013